(57)【特許請求の範囲】
【請求項１】
横断面円形状の収容物を収容する収容部が膨出形成された表面構成部材と、該表面構成部材の裏側に設けられ前記収容部の後方開口部を閉鎖する裏面構成部材とを備えたパッケージのパッケージ構造であって、
前記収容物の底面に係合部を設ける一方、
前記表面構成部材の前記後方開口部より、当該表面構成部材の前記収容部に収容された前記収容物の前記底面と該底面が対向する前記収容部の端面との間に挿入される挿入板を備え、
該挿入板に、前記収容物の前記係合部と係合する被係合部を設けるとともに、該被係合部を前記係合部に係合した状態で前記後方開口部を閉鎖した前記裏面構成部材に沿って延在し当該挿入板の回動を防止する対向部を設けたことを特徴とするパッケージ構造。
【請求項２】
前記係合部を前記底面の中心部から離れた位置に設定したことを特徴とする請求項１記載のパッケージ構造。
【請求項３】
前記収容物に設けられた前記係合部を前記底面に凹設された凹部で構成するとともに、前記挿入板に設けられた前記被係合部を前記凹部に挿入される凸部で構成したことを特徴とする請求項１又は２記載のパッケージ構造。
【請求項４】
前記凹部は、前記収容物の向きを整列させる為に使用した位置決め部であり、前記収容物の正面を前記収容部の表面側へ向けて配置した状態で前記凹部に係合する位置に前記凸部を配置したことを特徴とする請求項３記載のパッケージ構造。
【請求項５】
横断面円形状の収容物を収容する収容部が膨出形成された表面構成部材と、
該表面構成部材の後方開口部より、当該表面構成部材の前記収容部に収容された前記収容物の前記底面及び該底面が対向する前記収容部の端面間に挿入される挿入板と、
前記表面構成部材の裏側に設けられ前記後方開口部を閉鎖する裏面構成部材と、を備え、
前記収容物の底面に係合部が設けられる一方、
前記挿入板に、前記収容物の前記係合部と係合する被係合部と、該被係合部を前記係合部に係合した状態で前記後方開口部を閉鎖した前記裏面構成部材に沿って延在し当該挿入板の回動を防止する対向部とが設けられたパッケージにおける収容方法であって、
前記表面構成部材の前記後方開口部から前記収容部に前記収容物を収容する収容工程と、
前記後方開口部から前記収容物の前記底面及び該底面が対向する前記収容部の端面間に前記挿入板を挿入して、該挿入板の前記被係合部を前記収容物の前記係合部に係合する挿入板セット工程と、
前記表面構成部材の前記後方開口部を前記裏面構成部材で閉鎖し、該裏面構成部材で前記挿入板の回動を防止する閉鎖工程と、
を備えたことを特徴とする収容方法。
【請求項６】
前記収容物に設けられた前記係合部を前記底面に凹設された凹部で構成するとともに、前記挿入板に設けられた前記被係合部を前記凹部に挿入される凸部で構成し、
前記挿入板セット工程では、前記挿入板の前記凸部を、前記収容物の前記凹部に挿入することを特徴とする請求項５記載の収容方法。
【請求項７】
前記凹部は、前記収容物の向きを整列させる為に使用した位置決め部であり、
前記収容工程では、前記収容物の正面部を前記収容部の表面側へ向けて配置するとともに、
前記挿入板セット工程では、前記正面部が前記表面側に配置された状態で前記凸部を前記凹部に係合することを特徴とした請求項６記載の収容方法。
【発明の詳細な説明】
【技術分野】
【０００１】
本発明は、収容物を収容するパッケージ構造及び収容方法に関する。
【背景技術】
【０００２】
従来、製品を収容する際には、パッケージが使用されている。
【０００３】
製品が円筒形の場合、製品の輸送の際や外部からの衝撃により製品が回転してしまい、製品に表示された商標等の表示がさまざまな方向を向いてしまい、商品の見栄えが悪いばかりか、消費者の商品選択の際適切な情報を見せることができないといった問題があった。
【０００４】
一方、収容された製品の不用意な回転を防止するパッケージも知られている（例えば、特許文献１、特許文献２）。
【０００５】
特許文献１のパッケージは、乾電池を収納するブリスターカバーと、該ブリスターカバーの裏面に設けられた台紙とによって構成されており、前記ブリスターカバーには、前記乾電池を収納する収容部が形成されている。
【０００６】
該収容部には、収納されている乾電池の中心よりも開口側の部位に、収納される乾電池の直径よりも当該収容部の内径を幅狭にする突起が設けられており、前記収容部からの乾電池の不用意な離脱を防止するとともに、乾電池を前記収容部の表面側に押さえ付けて保持することによって、不用意な回転を防止できるように構成されている。
【０００７】
また、特許文献２のパッケージは、表面側を構成するブリスターケースと、該ブリスターケースの裏面に設けられた台紙とで構成されており、前記ブリスターケースには、容器本体を収容する収容部が膨出形成されている。
【０００８】
前記容器本体の裏面には、切り欠き部が形成されており、前記台紙には、折り曲げ部が形成されている。
【０００９】
これにより、前記折り曲げ部を表面側に折り曲げて切り起こすとともに、当該折り曲げ部を前記容器本体に形成された前記切り欠き部に挿入することによって、前記台紙に直交する回転軸を中心とした縦断面円形状の前記容器本体の不要な回転を防止できるように構成されている。
【特許文献１】特開２０００−２８１１２９号公報
【特許文献２】特開２００４−２９２０４２号公報
【発明の開示】
【発明が解決しようとする課題】
【００１０】
しかしながら、前者のパッケージ構造にあっては、収容物である乾電池を収容部の表面側に押さえ付けて回転を防止しているため、収容物が重かったり、強い衝撃に対しては、回転防止効果が不十分であった。
【００１１】
また、後者のパッケージ構造にあっては、台紙に直交する回転軸を中心とした容器本体の回転は防止できるが、台紙に平行する回転軸を中心とした回転を防止することはできず、横断面円形の例えば円筒状の製品をブリスターケースの収容部に収容する場合、この製品の回転を防止することはできなかった。
【００１２】
また、板状の台紙から折り曲げ部を切り起こさなければならず、切り起こし作業に苦労を要した。
【００１３】
本発明は、このような従来の課題に鑑みてなされたものであり、収容作業の煩雑化を招くことなく、横断面円形状の収容物の不用意な回転を防止することができるパッケージ構造及び収容方法を提供することを目的とするものである。
【課題を解決するための手段】
【００１４】
前記課題を解決するために本発明の請求項１のパッケージ構造においては、横断面円形状の収容物を収容する収容部が膨出形成された表面構成部材と、該表面構成部材の裏側に設けられ前記収容部の後方開口部を閉鎖する裏面構成部材とを備えたパッケージのパッケージ構造であって、前記収容物の底面に係合部を設ける一方、前記表面構成部材の前記後方開口部より、当該表面構成部材の前記収容部に収容された前記収容物の前記底面と該底面が対向する前記収容部の端面との間に挿入される挿入板を備え、該挿入板に、前記収容物の前記係合部と係合する被係合部を設けるとともに、該被係合部を前記係合部に係合した状態で前記後方開口部を閉鎖した前記裏面構成部材に沿って延在し当該挿入板の回動を防止する対向部を設けた。
【００１５】
すなわち、表面構成部材の収容部に収容された収容物は、横断面円形状に形成されており、当該収容物には、前記表面構成部材の裏側に設けられた裏面構成部材に平行する回転軸を中心とした回転方向に回転が生じ得る。
【００１６】
このとき、前記収容物の底面と、該底面が対向する前記収容部の端面との間には、挿入板が挿入されており、該挿入板に設けられた被係合部は、前記収容物の底面に設けられた係合部と係合する。この係合状態において、前記収容部の後方開口部側に配置された前記挿入板の対向部が前記裏面構成部材に沿って延在する。
【００１７】
このため、前記後方開口部を前記裏面構成部材で閉鎖した状態において、前記収容物の回転に伴って前記挿入板に回転力が生じた際には、前記裏面構成部材に沿って延在する前記対向部が前記裏面構成部材に干渉することで、前記挿入板の回転が防止され、該挿入板と係合した前記収容物の前記回転軸を中心とした回動が防止される。
【００１８】
また、請求項２のパッケージ構造においては、前記係合部を前記底面の中心部から離れた位置に設定した。
【００１９】
これにより、前記挿入板の回転の防止に伴って、該挿入板と係合した前記収容物の前記回転軸を中心とした回動が防止される。
【００２０】
さらに、請求項３のパッケージ構造では、前記収容物に設けられた前記係合部を前記底面に凹設された凹部で構成するとともに、前記挿入板に設けられた前記被係合部を前記凹部に挿入される凸部で構成した。
【００２１】
すなわち、前記収容物の底面に凹設された凹部に、前記挿入板に設けられた凸部が挿入された状態で、該凸部と前記凹部とが係合する。
【００２２】
このとき、前記収容物に設けられた底面側の係合部が凹部で構成されている。このため、底面の係合部を凸部で構成する場合のように底面を大きく後退させて凸部を形成するといった構成の複雑化を招くこと無く、前記係合部を構成することができる。
【００２３】
加えて、請求項４のパッケージ構造にあっては、前記凹部は、前記収容物の向きを整列させる為に使用した位置決め部であり、前記収容物の正面を前記収容部の表面側へ向けて配置した状態で前記凹部に係合する位置に前記凸部を配置した。
【００２４】
すなわち、前記収容物の底面には、当該収容物の向きを整列させる為の位置決め部である凹部が形成されており、この凹部と係合する凸部を前記挿入板に設けることによって、前記凹部で前記係合部を構成するができる。
【００２５】
そして、この凸部で前記被係合部を構成することによって、整列時の位置決め用の前記凹部が、前記係合部として利用される。
【００２６】
そして、請求項５の収容方法にあっては、横断面円形状の収容物を収容する収容部が膨出形成された表面構成部材と、該表面構成部材の後方開口部より、当該表面構成部材の前記収容部に収容された前記収容物の前記底面及び該底面が対向する前記収容部の端面間に挿入される挿入板と、前記表面構成部材の裏側に設けられ前記後方開口部を閉鎖する裏面構成部材と、を備え、前記収容物の底面に係合部が設けられる一方、前記挿入板に、前記収容物の前記係合部と係合する被係合部と、該被係合部を前記係合部に係合した状態で前記後方開口部を閉鎖した前記裏面構成部材に沿って延在し当該挿入板の回動を防止する対向部とが設けられたパッケージにおける収容方法であって、前記表面構成部材の前記後方開口部から前記収容部に前記収容物を収容する収容工程と、前記後方開口部から前記収容物の前記底面及び該底面が対向する前記収容部の端面間に前記挿入板を挿入して、該挿入板の前記被係合部を前記収容物の前記係合部に係合する挿入板セット工程と、前記表面構成部材の前記後方開口部を前記裏面構成部材で閉鎖し、該裏面構成部材で前記挿入板の回動を防止する閉鎖工程と、を備えている。
【００２７】
すなわち、横断面円形状の収容物をパッケージに収容する際には、表面構成部材に膨出形成された収容部の後方開口部から前記収容部を前記収容物内に収容した後、前記後方開口部から前記収容物の前記底面と該底面が対向する前記収容部の端面との間に、前記挿入板を挿入し、該挿入板に設けられた被係合部を前記収容物の底面に設けられた係合部に係合する。
【００２８】
そして、前記表面構成部材の裏側に裏面構成部材を設け、当該裏面構成部材で前記後方開口部を閉鎖して、前記収容物を前記表面構成部材の前記収容部内に収容する。
【００２９】
このとき、前記収容部に収容された前記収容物は、横断面円形状に形成されており、当該収容物には、前記裏面構成部材に平行する回転軸を中心とした回転方向に回転が生じ得る。
【００３０】
しかし、前記挿入板には、前記被係合部を前記収容物の前記係合部に係合した状態で前記後方開口部側に配置される対向部が設けられており、該対向部は、前記裏面構成部材に沿って延在するように構成されている。
【００３１】
このため、前記後方開口部を前記裏面構成部材で閉鎖した状態において、前記収容物の回転に伴って前記挿入板に回転力が生じた際には、前記裏面構成部材に沿って延在する前記対向部が前記裏面構成部材に干渉することで、前記挿入板の回転が防止され、該挿入板と係合した前記収容物の前記回転軸を中心とした回動が防止される。
【００３２】
また、請求項６の収容方法においては、前記収容物に設けられた前記係合部を前記底面に凹設された凹部で構成するとともに、前記挿入板に設けられた前記被係合部を前記凹部に挿入される凸部で構成し、前記挿入板セット工程では、前記挿入板の前記凸部を、前記収容物の前記凹部に挿入する。
【００３３】
すなわち、前記収容物に設けられた前記係合部は、前記底面に凹設された凹部で構成されており、前記挿入板に設けられた前記被係合部は、前記凹部に挿入される凸部で構成されている。
【００３４】
このため、前記収容物の前記底面と該底面が対向する前記収容部の端面との間に前記挿入板を挿入する際には、該挿入板に突設された前記凸部が、前記収容物に凹設された前記凹部に挿入され、前記凸部と前記凹部との係合状態が形成される。
【００３５】
さらに、請求項７の収容方法では、前記凹部は、前記収容物の向きを整列させる為に使用した位置決め部であり、前記収容工程では、前記収容物の正面部を前記収容部の表面側へ向けて配置するとともに、前記挿入板セット工程では、前記正面部が前記表面側に配置された状態で前記凸部を前記凹部に係合する。
【００３６】
すなわち、前記収容物の向きを整列させる為に当該収容物の底面に形成された位置決め部としての凹部が前記係合部として有効利用される。
【００３７】
そして、前記表面構成部材の前記収容部に前記収容物を収容する際には、前記収容物の正面部を前記収容部の表面側へ向けて配置し、この正面部が前記表面側に配置された状態において、前記収容物の前記底面と該底面が対向する前記収容部の端面との間に前記挿入板を挿入し、該挿入板に設けられた前記凸部を前記収容物の底面に設けられた前記凹部に挿入して係合する。
【００３８】
これにより、前記後方開口部を前記裏面構成部材で閉鎖した状態において、前記収容物の回転に伴って前記挿入板に回転力が生じた際には、前記裏面構成部材に沿って延在する前記対向部が前記裏面構成部材に干渉することで、前記挿入板の回転が防止され、該挿入板と係合した前記収容物の前記回転軸を中心とした回動が防止される。
【００３９】
このとき、前記収容物は、その正面部が前記収容部の表面側に向いた状態で回転が防止される。
【発明の効果】
【００４０】
以上説明したように本発明の請求項１のパッケージ構造にあっては、表面構成部材の収容部に収容された収容物の底面と該底面が対向する前記収容部の端面との間に挿入板を挿入して、前記収容物の底面に設けられた係合部と前記挿入板に設けられた被係合部とを係合するとともに、前記表面構成部材の裏側に裏面構成部材を設けて前記収容部の後方開口部を閉鎖するだけで、前記裏面構成部材に平行する回転軸を中心とした回転方向への前記収容物の回転を防止することができる。
【００４１】
したがって、横断面円形の収容物の回転を防止することができず、かつ回転を防止する為に板状の台紙から折り曲げ部を切り起こさなければならなかった従来と比較して、収容作業の繁雑化を招くことなく、横断面円形状の収容物の不用意な回転を防止することができる。
【００４２】
また、請求項２のパッケージ構造においては、前記係合部を前記底面の中心部から離れた位置に設定することで、前記挿入板の回転の防止に伴って、該挿入板と係合した前記収容物の前記回転軸を中心とした回動を防止することができる。
【００４３】
これにより、前記係合部及び被係合部を中央部に設定する場合のように、例えば係合部及び被係合部を回転不能な四角形状などにすることなく、前記収容物の不用意な回転を防止することができる。
【００４４】
さらに、請求項３のパッケージ構造では、前記収容物に設けられた底面側の係合部を凹部で構成したため、底面の係合部を凸部で構成する場合のように底面を大きく後退させて凸部を形成するといった構成の複雑化を招くこと無く、前記係合部を構成することができる。
【００４５】
加えて、請求項４のパッケージ構造では、収容物整列時の位置決め用に収容物の底面に凹設された凹部を前記係合部として有効利用することができる。
【００４６】
また、前記収容物の正面部を前記収容部の表面側へ向けた状態で不用意な回転を防止することができる。
【００４７】
このため、搬送時や陳列時において、前記収容物が回転し正面部が裏面側を向いてしまうといった不具合を確実に防止することができる。
【００４８】
そして、請求項５の収容方法においては、表面構成部材の収容部に収容された収容物の底面と該底面が対向する前記収容部の端面との間に挿入板を挿入して前記収容物の底面に設けられた係合部と前記挿入板に設けられた被係合部とを係合するとともに、前記表面構成部材の裏側に裏面構成部材を設けて前記収容部の後方開口部を閉鎖するだけで、前記裏面構成部材に平行する回転軸を中心とした回転方向への前記収容物の回転を防止することができる。
【００４９】
したがって、横断面円形の収容物の回転を防止することができず、かつ回転を防止する為に板状の台紙から折り曲げ部を切り起こさなければならなかった従来と比較して、収容作業の繁雑化を招くことなく、横断面円形状の収容物の不用意な回転を防止することができる。
【００５０】
また、請求項６の収容方法にあっては、前記収容物に設けられた前記係合部を、前記底面に凹設された凹部で構成するとともに、前記挿入板に設けられた前記被係合部を、前記凹部に挿入される凸部で構成することによって、前記収容物の前記底面と該底面が対向する前記収容部の端面との間に前記挿入板を挿入するだけで、該挿入板に突設された前記凸部を前記収容物に凹設された前記凹部に挿入し、前記凸部と前記凹部とを係合することができる。
【００５１】
そして、前記収容物に設けられた底面側の係合部を凹部で構成したため、底面の係合部を凸部で構成する場合のように底面を大きく後退させて凸部を形成するといった構成の複雑化を招くこと無く、前記係合部を構成することができる。
【００５２】
さらに、請求項７の収容方法では、整列時の位置決め用に収容物の底面に凹設された凹部を前記係合部として有効利用することができる。
【００５３】
このとき、前記収容物の正面部を前記収容部の表面側へ向けた状態で不用意な回転を防止することができる。
【００５４】
これにより、搬送時や陳列時において、前記収容物が回転し正面部が裏面側を向いてしまうといった不具合を確実に防止することができる。
【発明を実施するための最良の形態】
【００５５】
（第一の実施の形態）
【００５６】
以下、本発明の第一の実施の形態を図に従って説明する。図１は、本実施の形態にかかるパッケージ構造を備えたパッケージ１を示す図であり、該パッケージ１は、製品である収容物２を収容して陳列する際に使用するものである。
【００５７】
このパッケージ１は、図２にも示すように、表面側を構成する表面構成部材１１と、裏面側を構成する裏面構成部材１２とによって構成されている。
【００５８】
前記収容物２としては、例えば洗浄剤等が挙げられ、該洗浄剤は、液状薬剤が収容された容器体２１によって構成されている。この容器体２１は、瓢箪形状に形成されており、上部の上方球形部２２と下部の下方球形部２３との間には、括れ部２４が形成されている。
【００５９】
前記両球形部２２，２３は、やや縦長の球形状に形成されており、前記上方球形部２２の側面は球面状の上方球面部３１を構成するとともに、前記下方球形部２３の側面は球面状の下方球面部３２を構成している。前記下方球形部２３は、前記上方球形部２２より大径に形成されており、当該収容物２は、前記下方球形部２３における直径が最大となるように構成されている。
【００６０】
前記容器体２１は、薬剤を噴出する為のノズルを上部に備えており、該ノズルは、有底円筒状のキャップ４１によって覆われている。これにより、瓢箪形状の前記容器体２１と有底円筒状の前記キャップ４１からなる前記収容物２は、横断面が円形状に形成されている。また、前記キャップ４１の上面が当該収容物２の天面４２を構成しており、前記容器体２１の下面が当該収容物２の底面４３を構成している。
【００６１】
この底面４３は、図３に示すように、円形状に形成されており、該底面４３は、中心部へ向かうに従って内側へ構成する窪み部５１が形成されている。前記底面４３には、その底面中心５２から離れた位置に係合部としての凹部５３が凹設されており、該凹部５３の凹部底面５４は、矩形状に形成されている。
【００６２】
ここで、本実施の形態では、係合部としての凹部５３を前記底面中心５２から離れた位置に設けた場合に付いて説明するが、これに限定されるものではなく、例えば係合部及び該係合部と係合する被係合部を回転不能な四角形状などにすれば、前記底面中心５２に設けても、前記収容物２の回転防止効果を得ることができる。
【００６３】
この凹部底面５４は、三方が壁面で包囲されており、当該凹部５３の周方向先端の凹部先端面６１は、前記凹部底面５４に対してほぼ垂直に起立している。該凹部底面５４の基端側には、前記凹部先端面６１と逆側へ向けて傾斜した凹部基端側傾斜面６２が形成されており、前記凹部５３の前記底面中心５２側に位置する凹部内側壁面６３は、前記凹部底面５４に対してほぼ垂直に起立している。前記底面中心５２から離れた外側の凹部外側壁面６４は、外側へ向けて傾斜しており、この凹部外側壁面６４は、異なる角度の凹部斜面６５，６５を介して前記凹部基端側傾斜面６２に連設されている。
【００６４】
これにより、前記収容物２を製造する工場において、当該収容物２を回転させながら位置決め治具上を通過させることによって、該位置決め治具が前記凹部基端側傾斜面６２に沿って前記凹部５３に案内され、当該位置決め治具と前記凹部５３とが係合するように構成されており、この係合状態において、前記収容物２の回転を防止して、向きを整列させるように構成されている。
【００６５】
このとき、前記収容物２の正面部８１と前記凹部５３の位置は、常に同じ位置関係になるように構成されている。
【００６６】
前記パッケージ１の前記表面構成部材１１は、図１に示したように、無色透明の板状に形成されており、当該表面構成部材１１の平坦部９１の左寄りの部位には、図２の（ａ）に示したように、前記収容物２の形状に適合した当該収容物２を収容する為の収容部９２が表面９３側へ膨出形成さている。これにより、前記収容部９２は、当該表面構成部材１１の表面９３側へ膨出するとともに、裏面９４側へ向けて開口しており、この後方開口部９５から前記収容物２を前記収容部９２内に収容した状態で、当該収容物２を位置決めできるように構成されている。
【００６７】
この収容部９２は、図１に示したように、前記容器体２１が配置される部位が瓢箪形状に形成されており、この部位には、前記下方球形部２３が配置される大径の大径部１０１と、前記上方球形部２２が配置される小径の小径部１０２とが形成されている。また、前記収容部９２には、前記キャップ４１が配置されるキャップ収容部１０３が形成されており、該キャップ収容部１０３は、前記小径部１０２の上部に設けられている。
【００６８】
前記収容部９２の前記大径部１０１は、図２に示したように、膨出方向の表面９３が前記容器体２１の前記下方球形部２３に応じた球面状に形成されており、前記小径部１０２及び前記キャップ収容部１０３は、前記表面９３が円柱面状に形成されている。また、前記収容部９２の上端面１１１と下端面１１２は、図２の（ａ）に示したように、前記平坦部９１より膨出方向へ向けて起立しており、図２の（ｂ）に示したように、前記収容部９２の左側面１１３と右側面１１４は、前記平坦部９１より膨出方向へ向けて起立するとともに、膨出方向へ向かうに従って対向する側面１１３，１１４へ向けて傾斜するように構成されている。
【００６９】
この表面構成部材１１には、図１に示したように、前記収容部９２の上部に円形の吊り下げ穴１２１が形成されており、該吊り下げ穴１２１は、前記裏面構成部材１２を貫通している。また、前記平坦部９１の左縁部及び右縁部には、裏面側に折り返された折返し部１２２，１２３が形成されており、前記平坦部９１の下縁には、下方へ延出する舌片１２４が連設されている。該舌片１２４の先端からは、係止部１２５，１２５が横方向に延出している。
【００７０】
これにより、前記表面構成部材１１の前記平坦部９１に適合した長方形状のボール紙で形成された前記裏面構成部材１２を、前記表面構成部材１１の裏面９４に沿って配置した状態で、当該裏面構成部材１２の左縁部及び右縁部を、図２の（ｂ）に示したように、前記折返し部１２２，１２３で挟持できるように構成されている。この状態において、前記舌片１２４を上方へ折り返すとともに、前記裏面構成部材１２に設けられた図外の切り欠きに前記舌片１２４の前記係止部１２５，１２５を挿入することによって、当該裏面構成部材１２を前記表面構成部材１１の裏面９４に固定できるように構成されており、この固定状態において、前記収容部９２の前記後方開口部９５を前記裏面構成部材１２で閉鎖できるように構成されている。
【００７１】
このパッケージ１は、図２に示したように、前記後方開口部９５から前記収容物２の前記底面４３と、該底面４３が対向する前記収容部９２の前記下端面１１２との間に挿入される挿入板１５１を備えている。
【００７２】
該挿入板１５１は、図２及び図４に示すように、無色透明のプラスチック板で構成されており、当該挿入板１５１の基端部は、垂直に折曲されている。これにより、前記挿入板１５１には、前記収容物２の前記底面４３と前記収容部９２の前記下端面１１２との間に介挿される挿入部１６１と、該挿入部１６１の基端部に起立する対向片１６２とが形成されている。
【００７３】
前記挿入部１６１は、先端が円弧状に形成されており、前記収容部９２の前記大径部１０１の内側面に適合した形状に形成されている。該挿入部１６１には、円形部１７１が形成されており、該円形部１７１の中央には、円形の天頂部１７２が形成されている。前記円形部１７１は、周縁から前記天頂部１７２へ向かうに従って突出する傾斜面で構成されており、前記天頂部１７２は、平坦面で構成されている。これにより、前記円形部１７１は、前記収容物２の前記底面４３に設けられた前記窪み部５１内に配置できるように構成されている。
【００７４】
前記円形部１７１の円形部中心１８１から離れた部位には、前記収容物２の前記底面４３に設けられた係合部である前記凹部５３と係合する被係合部としての凸部２０１が前記円形部１７１の突出方向へ突設されている。
【００７５】
前記凸部２０１は、前記収容物２の正面部８１が前記収容部９２の表面９３側向くように前記収容物２を前記収容部９２内に配置した状態において当該挿入板１５１を前記収容物２の前記底面４３と該底面４３が対向する前記収容部９２の下端面１１２との間に挿入した際に、前記凹部５３と係合する位置に配置されている。
【００７６】
この凸部２０１の凸部天面２１１は、前記凹部５３の前記凹部底面５４に適合した矩形状に形成されており、この凸部２０１の周方向の先端の縁と前記円形部１７１との間には、前記凹部５３の前記凹部先端面６１に適合する凸部先端面２１２が当該挿入部１６１に対してほぼ垂直に形成されている。
【００７７】
前記凸部天面２１１の基端側には、前記凸部先端面２１２と逆側へ向かうに従って前記円形部１７１へ向けて傾斜した凸部基端側傾斜面２２１が形成されており、該凸部基端側傾斜面２２１は、前記凹部５３の前記凹部基端側傾斜面６２に適合するように構成されている。前記凸部２０１の前記円形部中心１８１側に位置する内側の縁と前記円形部１７１との間には、前記凹部５３の前記凹部内側壁面６３に適合した凸部内側壁面２２２が設けられており、該凸部内側壁面２２２は、当該挿入部１６１に対してほぼ垂直に起立している。
【００７８】
前記円形部中心１８１から離れた外側の縁と前記円形部１７１との間には、前記凹部５３の前記凹部外側壁面６４に適合した凸部外側壁面２３１が形成されており、該凸部外側壁面２３１は、外側へ向かうに従って前記円形部１７１へ向けて傾斜している。そして、この凸部外側壁面２３１は、異なる角度の凸部斜面２３２を介して前記凸部基端側傾斜面２２１に連設されている。
【００７９】
この挿入部１６１の基端は、直線状に形成されており、当該挿入板１５１に設けられた前記凸部２０１を、前記収容部９２に収容された前記収容物２底面４３の前記凹部５３に係合した状態で前記後方開口部９５側に配置されるとともに、前記裏面構成部材１２に沿って延在するように構成されている。これにより、前記挿入部１６１の基端によって、前記裏面構成部材１２に対向する対向部２４１が構成されている。
【００８０】
前記挿入板１５１の前記対向片１６２は、当該挿入板１５１の一部が折曲されることによって形成されている。この対向片１６２は、長方形状に形成されており、その角部は丸められている。当該対向片１６２は、当該挿入板１５１を前記収容部９２に収容された前記収容物２の前記底面４３と前記収容部９２の前記下端面１１２との間に挿入した挿入状態で、前記裏面構成部材１２に沿って延在するとともに、該裏面構成部材１２に面接するように構成されている。
【００８１】
これにより、前記挿入板１５１は、前記挿入部１６１基端の前記対向部２４１が前記裏面構成部材１２に線接触するとともに、前記対向片１６２が前記裏面構成部材１２に面接することによって回動が防止されるように構成されている。
【００８２】
図５は、横断面円形状の収容物２をパッケージ１に収容する工程を示す図であり、前記収容物２を前記パッケージ１に収容する際には、収容工程（Ｓ１）において、前記表面構成部材１１の裏面９４を上方に配置するとともに、前記収容物２の正面部８１を下側にした状態で、当該収容物２を前記表面構成部材１１の前記後方開口部９５から前記収容部９２内に収容する。これにより、前記収容物２は、前記正面部８１が前記収容部９２の表面９３側へ向けて配置される。
【００８３】
そして、挿入板セット工程（Ｓ２）において、前記挿入板１５１を前記後方開口部９５から前記収容部９２へ挿入し、当該挿入板１５１の前記挿入部１６１を、前記収容物２の前記底面４３と該底面４３が対向する前記収容部９２の前記下端面１１２との間に挿入すると同時に、当該挿入板１５１の前記挿入部１６１に設けられた前記凸部２０１を前記収容物２の底面４３に設けられた凹部５３に挿入して係合する。
【００８４】
このとき、前記収容物２の底面４３には、内側へ後退する窪み部５１が形成されており、前記挿入板１５１の前記挿入部１６１には、円形部１７１が突出形成されている。このため、この円形部１７１が前記窪み部５１に収容されることによって、前記凸部２０１を前記凹部５３に案内することができる。
【００８５】
次に、閉鎖工程（Ｓ３）において、前記表面構成部材１１の裏面９４に沿って前記裏面構成部材１２をスライドして、該裏面構成部材１２の両縁部を前記表面構成部材１１に設けられた前記折返し部１２２，１２３内に差し込み、前記裏面構成部材１２の左縁部及び右縁部を前記折返し部１２２，１２３で挟持する。これにより、この裏面構成部材１２によって前記後方開口部９５を閉鎖し、前記収容物２を前記表面構成部材１１の前記収容部９２内に保持する。
【００８６】
そして、係止工程（Ｓ４）において、前記表面構成部材１１の下縁より延出した舌片１２４を上方へ折り返すとともに、該舌片１２４に設けられた係止部１２５，１２５を、前記裏面構成部材１２に設けられた図外の切り欠きに挿入することによって、当該裏面構成部材１２を前記表面構成部材１１の裏面９４に固定する。これにより、前記収容部９２からの前記収容物２の不用意な離脱を防止する。
【００８７】
以上の構成にかかる本実施の形態において、前記パッケージ１の表面構成部材１１の収容部９２に収容された収容物２は、横断面円形状に形成されており、当該収容物２には、前記表面構成部材１１の裏側に設けられた裏面構成部材１２に平行する回転軸３０１を中心とした回転方向に回転が生じ得る（図２参照）。
【００８８】
このとき、前記収容物２の底面４３と、該底面４３が対向する前記収容部９２の下端面１１２との間には、挿入板１５１の挿入部１６１が挿入されており、当該挿入板１５１に設けられた凸部２０１は、前記収容物２の底面４３に設けられた凹部５３に挿入された状態で係合している。この係合状態において、前記収容部９２の後方開口部９５側に配置された前記挿入板１５１の対向部２４１及び対向片１６２が前記裏面構成部材１２に沿って延在する。
【００８９】
このため、前記後方開口部９５を前記裏面構成部材１２で閉鎖した状態において、前記収容物２の回転に伴って前記挿入板１５１に回転力が生じた際には、前記裏面構成部材１２に沿って延在する前記対向部２４１及び前記対向片１６２が前記裏面構成部材１２に干渉することで、前記挿入板１５１の回転が阻止され、該挿入板１５１と係合した前記収容物２の前記回転軸３０１を中心とした回動が防止される。
【００９０】
このように、前記収容物２の底面４３と前記収容部９２の下端面１１２との間に前記挿入板１５１の挿入部１６１を挿入して、前記収容物２の底面４３に設けられた前記凹部５３と前記挿入板１５１に設けられた前記凸部２０１とを係合するとともに、前記表面構成部材１１の裏側に裏面構成部材１２を設けて前記収容部９２の後方開口部９５を閉鎖するだけで、前記裏面構成部材１２に平行する前記回転軸３０１を中心とした回転方向への前記収容物２の回転を防止することができる。
【００９１】
したがって、横断面円形の収容物２の回転を防止することができず、かつ回転を防止する為に板状の台紙から折り曲げ部を切り起こさなければならなかった従来と比較して、収容作業の繁雑化を招くことなく、横断面円形状の収容物２の不用意な回転を防止することができる。
【００９２】
このとき、前記収容物２の底面４３側の係合部は、前記凹部５３で構成されている。このため、前記底面４３の係合部を凸部で構成する場合のように底面４３を大きく後退させて凸部を形成するといった構成の複雑化を招くこと無く、回転防止用の係合部を構成することができる。
【００９３】
そして、前記収容物２の底面４３には、製造段階において収容物２整列時の位置決め用の凹部５３が設けられており、この凹部５３と係合する凸部２０１を前記挿入板１５１に設けることによって、前記凹部５３で回転防止用の係合部を構成するができる。
【００９４】
また、この凸部２０１で回転防止用の被係合部を構成することによって、収容物２の向き整列用の前記凹部５３を回転防止用の係合部として有効利用することができる。
【００９５】
これにより、搬送時や陳列時において、前記収容物２が回転し正面部８１が裏面９４側を向いてしまうといった不具合を確実に防止することができる。
【００９６】
なお、本実施の形態にあっては、前記収容物２の底面４３に一つの凹部５３を設けるとともに、前記挿入板１５１に一つの凸部２０１を設けた場合を例に挙げて説明したが、これに限定されるものでは無い。
【００９７】
（第二の実施の形態）
【００９８】
すなわち、図６に示すように、前記収容物２の底面４３に二つの凹部５３，５３を設けるとともに、図７に示すように、前記挿入板１５１に二つの凸部２０１，２０１を設け、前記各凹部５３，５３と対を成す前記凸部２０１，２０１を、互いに係合可能な位置に配置する。
【００９９】
これによっても、第一の実施の形態と同様の作用・効果を得ることができる。
【０１００】
なお、前記収容物２の底面４３には、複数の凹部５３，・・・を設け、前記挿入板１５１には、前記凹部５３，・・・の数より少ない凸部２０１を設けるようにしても良い。
【図面の簡単な説明】
【０１０１】
【図１】本発明の第一の実施の形態を示す図である。
【図２】（ａ）は同実施の形態を示す側面図であり、（ｂ）は同実施の形態の底面図である。
【図３】同実施の形態の収容物を示す底面図である。
【図４】（ａ）は同実施の形態の挿入板を示す平面図であり、（ｂ）は同実施の形態の挿入板の側面図である。
【図５】同実施の形態の製造工程を示すフローチャートである。
【図６】本発明の第二の実施の形態の収容物を示す底面図である。
【図７】（ａ）は同実施の形態の挿入板を示す平面図であり、（ｂ）は同実施の形態の挿入板の側面図である。
【符号の説明】
【０１０２】
１    パッケージ
２    収容物
１１    表面構成部材
１２    裏面構成部材
４３    底面
５２    底面中心
５３    凹部
８１    正面部
９２    収容部
９３    表面
９４    裏面
９５    後方開口部
１１２    下端面
１５１    挿入板
１６２    対向片
２０１    凸部
２４１    対向部
Ｓ１    収容工程
Ｓ２    挿入板セット工程
Ｓ３    閉鎖工程
【図１】
0005021424.tif 000002
【図２】
0005021424.tif 000003
【図３】
0005021424.tif 000004
【図４】
0005021424.tif 000005
【図５】
0005021424.tif 000006
【図６】
0005021424.tif 000007
【図７】
0005021424.tif 000008